(57)【要約】      （修正有）【課題】エネルギー消費ゼロの降温を実現し、降温効果がよい輻射冷却構造及び輻射冷却製品を提供する。【解決手段】輻射冷却構造１０は、基材層１１、第１輻射冷却層１２、及び第１カバー層１３を備える。第１輻射冷却層は基材層における外に向かう側に塗布され、第１輻射冷却層は第１機能塗層１２１を備え、第１機能塗層の厚さは２０μｍ〜８０μｍであり、第１機能塗層は可視光及び近赤外光を反射するとともに赤外輻射方式により大気ウィンドウから熱を放射可能とする。第１カバー層は、基材層から離れた第１輻射冷却層の表面に塗布される。日光が輻射冷却構造の表面に照射された時、第１機能塗層が可視光及び近赤外光を反射することにより、輻射冷却構造の過度の熱蓄積を避け、輻射冷却構造表面及び内側空間の熱を大気ウィンドウから波長域赤外線形式により外へ放射させ、エネルギー消費ゼロの降温を実現する。【選択図】図１
0003227268.tif 000002
【実用新案登録請求の範囲】
【請求項１】
基材層と、
前記基材層における外に向かう側に塗布され、厚さが２０μｍ〜８０μｍであり、可視光及び近赤外光を反射するとともに赤外輻射方式により大気ウィンドウから熱を放射可能とする第１機能塗層を有する第１輻射冷却層と、
前記基材層から離れた前記第１輻射冷却層の表面に塗布される第１カバー層とを備える、ことを特徴とする輻射冷却構造。
【請求項２】
前記第１輻射冷却層は、第２機能塗層をさらに備え、
前記第２機能塗層は、前記基材層から離れた前記第１機能塗層の側に積層設置され、
前記第２機能塗層は、紫外光を阻隔するとともに赤外輻射方式により大気ウィンドウから熱を放射可能とし、
前記第２機能塗層の厚さは、１０μｍ〜３０μｍである、ことを特徴とする請求項１に記載の輻射冷却構造。
【請求項３】
前記第１カバー層は、シリコン層、有機フッ素層の少なくとも一つであり、
前記第１カバー層の厚さは、１０μｍより小さい、ことを特徴とする請求項１に記載の輻射冷却構造。
【請求項４】
前記輻射冷却構造は、前記基材層の表面熱を伝導する熱伝導層をさらに備え、
前記熱伝導層は、前記基材層と前記第１輻射冷却層との間に設けられる、ことを特徴とする請求項１に記載の輻射冷却構造。
【請求項５】
前記輻射冷却構造は、第１界面層をさらに備え、
前記第１界面層は、前記基材層と前記熱伝導層との間に設けられる、ことを特徴とする請求項４に記載の輻射冷却構造。
【請求項６】
前記輻射冷却構造は、マトリックス層表面熱を伝導する熱伝導層をさらに備え、
前記熱伝導層は、前記第１輻射冷却層から離れたマトリックス層の表面に設けられる、ことを特徴とする請求項１に記載の輻射冷却構造。
【請求項７】
前記輻射冷却構造は、第２カバー層をさらに備え、
前記第２カバー層は、前記基材層から離れた前記熱伝導層の表面に設けられ、
前記第２カバー層は、シリコン層、有機フッ素層の少なくとも一つであり、
前記第２カバー層の厚さは、１０μｍより小さい、ことを特徴とする請求項６に記載の輻射冷却構造。
【請求項８】
前記輻射冷却構造は、第２界面層をさらに備え、
前記第２界面層は、前記基材層と前記第１輻射冷却層との間に設けられる、ことを特徴とする請求項６に記載の輻射冷却構造。
【請求項９】
縦棒、骨格、及び請求項１から８の何れかに記載の輻射冷却構造からなる日除け傘面又はサンルーフ面とを備え、
前記骨格は、前記縦棒に設けられ、
前記日除け傘面又はサンルーフ面は、前記骨格に設けられる、ことを特徴とする輻射冷却製品。
【請求項１０】
吸着固定具及び請求項１から８の何れかに記載の輻射冷却構造からなる車体カバー体を備え、
前記吸着固定具は、前記車体カバー体に設けられ、
前記吸着固定具は、車体に吸着する、ことを特徴とする輻射冷却製品。
【請求項１１】
前記吸着固定具は、磁性吸着層を有し、
前記磁性吸着層は、前記基材層と前記第１輻射冷却層との間に積層設置される、ことを特徴とする請求項１０に記載の輻射冷却製品。
【請求項１２】
前記吸着固定具は、磁性体をさらに有し、
前記磁性体は、前記車体カバー体のエッジ位置に設けられる、ことを特徴とする請求項１０に記載の輻射冷却製品。
【請求項１３】
テント骨格及び請求項１から８の何れかに記載の輻射冷却構造からなる外テントを備え、
前記外テントは、前記テント骨格外をカバーする、ことを特徴とする輻射冷却製品。
【請求項１４】
前記輻射冷却製品は、裏地付きテント及び底テントをさらに備え、
前記裏地付きテントは、前記輻射冷却構造の内側に設けられ、
前記底テントは、前記裏地付きテントの底部に設けられ、
前記裏地付きテントが、前記テント骨格に接続される、ことを特徴とする請求項１３に記載の輻射冷却製品。
【請求項１５】
前記輻射冷却製品は、着脱部をさらに備え、
前記着脱部は、前記外テントに着脱可能に接続され、又は前記着脱部は、前記裏地付きテントに着脱可能に接続され前記外テントの部分に露出し、
前記着脱部は、基布層及び第２輻射冷却層を有し、
前記第２輻射冷却層は、前記基布層の外面に塗布される、ことを特徴とする請求項１４に記載の輻射冷却製品。
【請求項１６】
前記輻射冷却製品は、給電アセンブリ、センサー、警報機、及びコントローラをさらに備え、
前記センサー、前記警報機、前記コントローラは、それぞれ前記給電アセンブリに電気的に接続され、
前記コントローラは、それぞれ前記センサー、前記警報機に電気的に接続される、ことを特徴とする請求項１３に記載の輻射冷却製品。
【請求項１７】
請求項１から８の何れかに記載の輻射冷却構造からなる帽体を備え、
前記帽体は頭部を置くためのチャンバーを形成する、ことを特徴とする輻射冷却製品。
【請求項１８】
前記帽体には、透気孔が設けられ、
前記透気孔は、前記帽体の内壁から前記帽体の外壁まで延びる、ことを特徴とする請求項１７に記載の輻射冷却製品。
【請求項１９】
前記輻射冷却製品は、日除けカーテンをさらに備え、
前記日除けカーテンは、前記チャンバーの底部に位置し、
前記日除けカーテンの外面には、第３輻射冷却層が塗布される、ことを特徴とする請求項１７に記載の輻射冷却製品。
【請求項２０】
前記輻射冷却製品は、収納袋をさらに備え、
前記収納袋は、前記日除けカーテンに設けられる、ことを特徴とする請求項１９に記載の輻射冷却製品。
【請求項２１】
請求項１から８の何れかに記載の輻射冷却構造からなるカーテン体を備え、
前記カーテン体は、日除けカーテンの一部を形成する、ことを特徴とする輻射冷却製品。
【考案の詳細な説明】
【技術分野】
【０００１】
＜関連出願＞
本願は、２０１９年１１月２９日に出願された、出願番号は２０１９２２１０１２３２．７であり、名称は“帽子”である中国特許出願と、２０１９年１０月８日に出願された、出願番号は２０１９２１６６６４０３．４であり、名称は“輻射冷却帽”である中国特許出願と、２０１９年１２月３１日に出願された、出願番号は２０１９２２５０１８７６．５であり、名称は“テント”である中国特許出願と、２０１９年１２月３１日に出願された、出願番号は２０１９２２４９８３４０．２であり、名称は“車体カバー”である中国特許出願と、２０２０年４月７日に出願された、出願番号は２０２０２０４８８０２９．Ｘであり、名称は“傘面構造及び傘具”である中国特許出願の優先権を主張し、ここで、その全ての内容を援用して参照とする。
【０００２】
本願は、輻射冷却の技術分野に関し、特に輻射冷却構造及び製品に関する。
【背景技術】
【０００３】
市場において、例えば、日除け帽、サンシェード車体カバー、サンシェードテント、日除け傘、日除けカーテン等の様々なサンシェード製品がある。サンシェード製品の表面には、太陽光が照射された時、サンシェード製品が紫外線輻射、太陽直射等を遮断することにより、サンシェードの効果を達成する。暑い夏において、サンシェード製品が直射日光の下で日光を吸收して昇温し続け、その表面に過度の熱が蓄積され、それによりユーザーの快適性が低下する。伝統的なサンシェード製品は、太陽光の透過を阻隔し、太陽光の一部を反射するだけであるが、受動式降温機能を実現できず、使用のニーズを満たすことができない。
【考案の概要】
【考案が解決しようとする課題】
【０００４】
これにより、輻射冷却構造及び製品を提供する必要があり、エネルギー消費ゼロの降温が実現され、降温効果がよりよい。
【課題を解決するための手段】
【０００５】
輻射冷却構造は、
基材層と、
前記基材層における外に向かう側に塗布され、厚さが２０μｍ〜８０μｍであり可視光及び近赤外光を反射するとともに赤外輻射方式により大気ウィンドウから熱を放射可能とする第１機能塗層を有する第１輻射冷却層と、
前記基材層から離れた前記第１輻射冷却層の表面に塗布される第１カバー層とを備える。
【０００６】
その一実施例において、前記第１輻射冷却層は、第２機能塗層をさらに備え、前記第２機能塗層は、前記基材層から離れた前記第１機能塗層の側に積層設置され、前記第２機能塗層は、紫外光を阻隔するとともに赤外輻射方式により大気ウィンドウから熱を放射可能とし、前記第２機能塗層の厚さは、１０μｍ〜３０μｍである。
【０００７】
その一実施例において、前記第１カバー層は、シリコン層、有機フッ素層の少なくとも一つであり、前記第１カバー層の厚さは、１０μｍより小さい。
【０００８】
その一実施例において、前記輻射冷却構造は、前記基材層の表面熱を伝導する熱伝導層をさらに備え、前記熱伝導層は、前記基材層と前記第１輻射冷却層との間に設けられる。
【０００９】
その一実施例において、前記輻射冷却構造は、第１界面層をさらに備え、前記第１界面層は、前記基材層と前記熱伝導層との間に設けられる。
【００１０】
その一実施例において、前記輻射冷却構造は、前記マトリックス層表面熱を伝導する熱伝導層をさらに備え、前記熱伝導層は、前記第１輻射冷却層から離れた前記マトリックス層の表面に設けられる。
【００１１】
その一実施例において、前記輻射冷却構造は、第２カバー層をさらに備え、前記第２カバー層は、前記基材層から離れた前記熱伝導層の表面に設けられ、前記第２カバー層は、シリコン層、有機フッ素層の少なくとも一つであり、前記第２カバー層の厚さは、１０μｍより小さい。
【００１２】
その一実施例において、前記輻射冷却構造は、第２界面層をさらに備え、前記第２界面層は、前記基材層と前記第１輻射冷却層との間に設けられる。
【００１３】
輻射冷却製品は、縦棒、骨格、及び上記の輻射冷却構造からなる日除け傘面又はサンルーフ面とを備え、前記骨格は、前記縦棒に設けられ、前記日除け傘面又はサンルーフ面は、前記骨格に設けられる。
【００１４】
前記輻射冷却製品は、吸着固定具及び上記の輻射冷却構造からなる車体カバー体を備え、前記吸着固定具は、前記車体カバー体に設けられ、前記吸着固定具は、車体に吸着する。
【００１５】
その一実施例において、前記吸着固定具は、磁性吸着層を有し、前記磁性吸着層は、前記基材層と前記第１輻射冷却層との間に積層設置される。
【００１６】
その一実施例において、前記吸着固定具は、磁性体をさらに有し、前記磁性体は、前記車体カバー体のエッジ位置に設けられる。
【００１７】
前記輻射冷却製品は、テント骨格及び上記の輻射冷却構造からなる外テントを備え、前記外テントは、前記テント骨格外をカバーする。
【００１８】
その一実施例において、輻射冷却製品は、裏地付きテント及び底テントをさらに備え、前記裏地付きテントは、前記輻射冷却構造の内側に設けられ、前記底テントは、前記裏地付きテントの底部に設けられ、前記裏地付きテントが、前記テント骨格接続される。
【００１９】
その一実施例において、前記輻射冷却製品は、着脱部をさらに備え、前記着脱部は、前記外テントに着脱可能に接続され、又は前記着脱部は、前記裏地付きテントに着脱可能に接続され前記外テントの部分に露出し、
前記着脱部は、基布層及び第２輻射冷却層を有し、前記第２輻射冷却層は、前記基布層の外面に塗布される。
【００２０】
その一実施例において、前記輻射冷却製品は、給電アセンブリ、センサー、警報機、及びコントローラをさらに備え、前記センサー、前記警報機、前記コントローラは、それぞれ前記給電アセンブリに電気的に接続され、前記コントローラは、それぞれ前記センサー、前記警報機に電気的に接続される。
【００２１】
前記輻射冷却製品は、上記の輻射冷却構造からなる帽体を備え、前記帽体が頭部が置くチャンバーを形成する。
【００２２】
その一実施例において、前記帽体には、透気孔が設けられ、前記透気孔は、前記帽体の内壁から前記帽体の外壁まで延びる。
【００２３】
その一実施例において、前記輻射冷却製品は、日除けカーテンをさらに備え、前記日除けカーテンは、前記チャンバーの底部に位置し、前記日除けカーテンの外面には、第３輻射冷却層が塗布される。
【００２４】
その一実施例において、輻射冷却製品は、収納袋をさらに備え、前記収納袋は、前記日除けカーテンに設けられる。
【００２５】
前記輻射冷却製品は、上記の輻射冷却構造からなるカーテン体を備え、前記カーテン体は、日除けカーテンの一部を形成する。
【００２６】
本願の輻射冷却構造及び製品において、基材層における外に向かう側に第１輻射冷却層が塗布され、第１輻射冷却層は第１機能塗層を有する。輻射冷却構造の表面に日光が照射された時、第１機能塗層が太陽光における可視光及び近赤外光を反射することにより、輻射冷却構造の過度の熱蓄積を避け、輻射冷却構造の表面以及び輻射冷却構造の内側空間の熱を８μｍ〜１３μｍ大気ウィンドウから波長域赤外線形式により外へ放射させ、エネルギー消費ゼロの降温を実現することにより、ユーザーの快適感を向上する。そして、第１輻射冷却層の外面に第１カバー層を塗布することにより、第１カバー層が第１輻射冷却層を保護でき、第１輻射冷却層に傷を付けることを避け、輻射冷却構造の輻射冷却効果が保証される。
【図面の簡単な説明】
【００２７】
【図１】本願の一実施例における輻射冷却構造の構造概念図である。
【図２】本願の他の実施例における輻射冷却構造の構造概念図である。
【図３】本願の一実施例における輻射冷却製品１の構造概念図である。
【図４】本願の一実施例における輻射冷却製品２が車体に設けられる構造概念図である。
【図５】図４に示された輻射冷却製品２の構造概念図である。
【図６】本願の一実施例における輻射冷却製品３の外テントの構造概念図である。
【図７】本願の一実施例における輻射冷却製品３のテント骨格の構造概念図である。
【図８】本願の一実施例における輻射冷却製品３の着脱部の構造概念図である。
【図９】本願の一実施例における輻射冷却製品３の着脱部が外テントに取り付けられた構造概念図である。
【図１０】本願の一実施例における輻射冷却製品３の着脱部が裏地付きテントに取り付けられた構造概念図である。
【図１１】本願の一実施例における輻射冷却製品３の給電アセンブリが着脱部に取り付けられた構造概念図である。
【図１２】本願の一実施例における輻射冷却製品３の給電アセンブリ、センサー、コントローラ及び警報機の回路図である。
【図１３】本願の一実施例における輻射冷却製品４の構造概念図である。
【図１４】図１３に示された輻射冷却製品４の構造分解図である。
【図１５】本願の一実施例における輻射冷却製品５の構造概念図１である。
【図１６】図１５に示された輻射冷却製品５の構造概念図２である。
【図１７】図１５に示された輻射冷却製品５の構造概念図３である。
【図１８】本願の一実施例における輻射冷却製品６の構造概念図である。
【考案を実施するための形態】
【００２８】
本願が提供する輻射冷却生地、製品を以下にさらに説明する。
【００２９】
本願が提供する輻射冷却構造は、図１と図２を参照して、基材層１１、第１輻射冷却層１２、及び第１カバー層１３を備える。第１輻射冷却層１２が基材層１１における外に向かう側に塗布され、第１輻射冷却層１２は第１機能塗層１２１を有し、第１機能塗層１２１の厚さは２０μｍ〜８０μｍであり、第１機能塗層１２１が可視光及び近赤外光を反射するとともに赤外輻射方式により大気ウィンドウから熱を放射可能とする。第１カバー層１３が基材層１１から離れた第１輻射冷却層１２の表面に塗布される。
【００３０】
上記の輻射冷却構造１０において、基材層１１における外に向かう側に第１輻射冷却層１２が塗布され、第１輻射冷却層１２は第１機能塗層１２１を有する。輻射冷却構造１０の表面に日光が照射された時、第１機能塗層１２１が太陽光における可視光及び近赤外光を反射することにより、輻射冷却構造１０の過度の熱蓄積を避け、輻射冷却構造１０表面及び内側空間の熱を８μｍ〜１３μｍ大気ウィンドウから波長域赤外線形式により外へ放射させ、エネルギー消費ゼロの降温を実現することにより、ユーザーの快適感を向上する。第１輻射冷却層１２の外面に第１カバー層１３を塗布することにより、第１カバー層１３が第１輻射冷却層１２を保護でき、第１輻射冷却層１２の酸化、脱落及び黄変の現像を避け、第１輻射冷却層１２のエージング速度が緩和され、輻射冷却構造１０の輻射冷却効果が延長される。
【００３１】
なお、本願における「輻射冷却構造１０の内側空間」とは、太陽から離反する輻射冷却構造１０の側であり、「基材層１１における外に向かう側」とは、使用する状態で、基材層１１における太陽に向かう表面である。
【００３２】
具体的には、第１機能塗層１２１は第１樹脂マトリックス及び第１充填材粒子を有し、第１充填材粒子が第１樹脂マトリックスに分散される。第１充填材粒子が熱を赤外輻射方式により大気ウィンドウから放射させることにより、輻射冷却構造１０表面及び内側空間の温度を低下させる。第１樹脂マトリックスは、エポキシ樹脂、ポリエステル、ポリウレタン、アクリル樹脂、及びシリコン樹脂の1つ以上であり、第１充填材粒子は、ケイ酸アルミニウム、真珠光沢粉末、シリカ、重質カルシウム粉末、硫酸バリウム、タルク粉末、二酸化チタン、硫化亜鉛、セラミック粉末、セラミックビーズ、及びガラスビーズの1つ以上である。
【００３３】
上記の第１機能塗層１２１の厚さは２０μｍ〜８０μｍである。理解できるのは、第１機能塗層１２１の厚さが厚いほど、第１充填材粒子の含有量が多くなり、輻射冷却構造１０のサンシェード及び輻射冷却効果がよりよい。しかし、第１機能塗層１２１厚さが厚すぎると、第１充填材粒子の含有量が多すぎ、輻射冷却構造１０の防皺性が悪くなり、特に輻射冷却構造１０が複数回折り畳んだ後、その表面には多くのしわがあり、それは外観に影響を与えるだけではく、輻射冷却構造１０の機能にも一定の影響を与える。しかし、第１機能塗層１２１が薄すぎるか、または第１充填材粒子が少な過ぎると、第１機能塗層１２１の反射及び輻射冷却機能が悪くなる。第１機能塗層１２１の厚さは２０μｍ〜８０μｍである時、４００ｎｍ〜２５００ｎｍ波長域の可視光及び近赤外光に対する第１機能塗層１２１の平均反射率は８０％より大きく、８μｍ〜１３μｍ大気ウィンドウ波長域に対する放射率は９０％より大きく、同時に、輻射冷却構造１０の防皺性がよい。
【００３４】
一実施例では、図１と図２を参照して、第１輻射冷却層１２は第２機能塗層１２２をさらに有し、第２機能塗層１２２が基材層１１から離れた第１機能塗層１２１の側に積層設置され、第２機能塗層１２２が紫外光（即ち、波長が４００ｎｍより小さい光）を阻隔するとともに第２機能塗層１２２が熱を赤外輻射方式により大気ウィンドウから放射できる。第１機能塗層１２１の表面に第２機能塗層１２２を覆った後、太陽光波長域に対する輻射冷却構造１０の平均反射率が増加することにより、太陽光波長域に対する輻射冷却構造１０の平均反射率は２％以上向上することができる。同時に、第２機能塗層１２２が紫外光を反射して吸收し、紫外光に対して優れた阻隔を形成し、紫外光に対する阻隔率は９９％より大きく、これにより輻射冷却構造１０が紫外線を阻隔する機能が実現され、人体への紫外線の直射及び輻射冷却構造１０に介した透過を避ける。そのうち、紫外光の阻隔には紫外光に対する反射及び吸收が含まれる。
【００３５】
具体的には、第２機能塗層１２２は第２樹脂マトリックス及び第２充填材粒子を有し、第２充填材粒子が第２樹脂マトリックスに分散される。第２樹脂マトリックスは、エポキシ樹脂、ポリエステル、ポリウレタン、アクリル樹脂、及びシリコン樹脂の1つ以上であり、第２充填材粒子は、アルミナ、酸化亜鉛、酸化ジルコニウム、酸化セリウム、酸化ランタン、酸化ロジウム、および酸化マグネシウムの1つ以上である。
【００３６】
さらには、第２機能塗層１２２の厚さは１０μｍ〜３０μｍである。第２機能塗層１２２の厚さはこの範囲にある時、８μｍ〜１３μｍ大気ウィンドウ波長域に対する第２機能塗層１２２の放射率は９５％より大きく、紫外光に対する阻隔率は９９％より大きく、同時に柔軟性及び輻射冷却効果の良好な輻射冷却構造１０を得ることに有益である。
【００３７】
一実施例では、第１カバー層１３はシリコン層、有機フッ素層の少なくとも一つである。雨水が輻射冷却構造１０の表面に落ちた時、雨水が第１カバー層１３に沿って滴り落ち、これにより輻射冷却構造１０を防水することができる。
【００３８】
さらには、第１カバー層１３の厚さは１０μｍより小さい。第１カバー層１３の厚さがこの範囲にある時、第１輻射冷却層１２を保護でき、第１輻射冷却層１２の酸化、脱落及び黄変の現像を避け、第１輻射冷却層１２のエージング速度が緩和される一方、第１カバー層１３が第１輻射冷却層１２の輻射冷却効果に影響を与えないとともに、輻射冷却構造１０の厚さは適当であり、市場のニーズを満たすことができる。
【００３９】
さらには、図１と図２を参照して、輻射冷却構造１０は熱伝導層１５をさらに備え、熱伝導層１５が基材層１１の表面に覆われ、熱伝導層１５が基材層１１表面の熱を伝導できる。輻射冷却構造１０における外に向かう表面が日光の直射を受け、その表面の温度が高く、輻射冷却構造１０における内に向かう表面の温度が低く、これは一部の降温効果が悪い。本方案において、基材層１１の表面に熱伝導層１５を覆い、熱伝導層１５が輻射冷却構造１０の温度を熱伝導でき、輻射冷却構造１０内外面の温度均一化が実現され、輻射冷却構造１０表面以及び輻射冷却構造１０の内側空間の降温効果がよりよく、ユーザーの快適性を向上する。
【００４０】
具体的には、熱伝導層１５は、グラフェン熱伝導層１５、カーボンナノチューブ熱伝導層１５の一つである。グラフェン熱伝導層１５やカーボンナノチューブ熱伝導層１５が高い熱伝導係数を有し、降温効果を最大限に強めることができ、輻射冷却構造１０内外面の温度均一化が実現され、ユーザーの快適性を向上する。
【００４１】
一実施例では、図１と図２を参照して、熱伝導層１５が基材層１１と第１輻射冷却層１２との間に設けられる。日光が輻射冷却構造１０の表面に照射された時、第１輻射冷却層１２が太陽光を反射し、輻射冷却構造１０の過度の熱蓄積を避け、輻射冷却構造１０以及び輻射冷却構造１０の内側空間の熱を８μｍ〜１３μｍ大気ウィンドウ波長域の電磁波により外へ輻射させ、エネルギー消費ゼロの降温を実現する。第１輻射冷却層１２が上記の第２機能塗層１２２を有する時、輻射冷却構造１０が紫外線を阻隔する機能も実現し、人体への紫外線の直射及び輻射冷却構造１０を介した透過を避ける。そして、熱伝導層１５が輻射冷却構造１０の温度を熱伝導し、輻射冷却構造１０内外面の温度均一化が実現され、輻射冷却構造１０の降温効果がよりよく、ユーザーの快適性を向上する。勿論、他の実施例において、熱伝導層１５を第１輻射冷却層１２から離反する基材層１１の表面に設けることもできる。
【００４２】
さらには、図１と図２を参照して、輻射冷却構造１０は第１界面層１６をさらに備え、第１界面層１６が基材層１１と熱伝導層１５との間に設けられる。具体的には、第１界面層１６がポリウレタン、アクリル酸、エポキシ樹脂等の材料からなる。基材層１１と熱伝導層１５との間に第１界面層１６を設置することにより、第１界面層１６が熱伝導層１５と基材層１１に効果的に結合することができる。
【００４３】
勿論、他の実施例において、熱伝導層１５と第１界面層１６とが熱伝導界面層に合併してもよい。熱伝導界面層の作製方法は、第１界面層１６の材料をキャリアとして、０．５％〜１％グラフェン又はカーボンナノチューブ高熱伝導率材料、助剤等を添加してスラリーを配置し、スプレープロセスにより配置のスラリーを基材層１１に均一にスプレーし、乾燥によりこの熱伝導界面層を作成する。熱伝導層１５と第１界面層１６を熱伝導界面層に合併することにより、輻射冷却構造１０の加工プロセスを簡易化できる。そして、熱伝導層１５と第１界面層１６を熱伝導界面層に合併した後、熱伝導界面層が輻射冷却構造１０の温度を熱伝導でき、輻射冷却構造１０内外面の温度を一致に保持し、輻射冷却構造１０の放熱効率を向上させ、同時に基材層１１と第１輻射冷却層１２との結合力を向上する。
【００４４】
他の実施例において、図１と図２を参照して、熱伝導層１５が第１輻射冷却層１２から離反する基材層１１の表面に設けられる。日光が輻射冷却構造１０の表面に照射された時、第１輻射冷却層１２が太陽光を反射することにより、輻射冷却構造１０の過度の熱蓄積を避け、輻射冷却構造１０の表面及び内側空間の熱を８μｍ〜１３μｍ大気ウィンドウ波長域の電磁波により外へ輻射させ、エネルギー消費ゼロの降温を実現する。そして、熱伝導層１５が輻射冷却構造１０の温度を熱伝導することにより、輻射冷却構造１０内外面の温度均一化が実現され、輻射冷却構造１０の降温効果がよりよく、ユーザーの快適性を向上する。
【００４５】
具体的には、図１と図２を参照して、この実施例において、輻射冷却構造１０は上記実施例における第１界面層１６をさらに備える。理解できるのは、第１輻射冷却層１２と熱伝導層１５とがそれぞれ基材層１１における対向する両面に覆われ、第１界面層１６が基材層１１と熱伝導層１５との間に設けられる。
【００４６】
さらには、図１と図２を参照して、輻射冷却構造１０は第２界面層１７をさらに備え、第２界面層１７が基材層１１と第１輻射冷却層１２との間に設けられる。具体的には、第２界面層１７がポリウレタン、アクリル酸、エポキシ樹脂等の材料からなる。基材層１１と第１輻射冷却層１２との間に第２界面層１７を設置することにより、第２界面層１７が基材層１１及び第１輻射冷却層１２に効果的に結合することができる。
【００４７】
さらには、図１と図２を参照して、輻射冷却構造１０は第２カバー層１４をさらに備え、第２カバー層１４が基材層１１から離れた熱伝導層１５の表面に設けられる。第２カバー層１４を設置することにより、第２カバー層１４が熱伝導層１５を効果的に保護でき、熱伝導層１５のエージング速度が緩和され、熱伝導層１５の使用寿命が延長される。
【００４８】
具体的には、第２カバー層１４は、シリコン層、有機フッ素層の少なくとも一つである。雨水が傘面構造の表面に落ちた時、雨水が第２カバー層１４に沿って滴り落ち、これにより輻射冷却構造１０を防水することができる。
【００４９】
さらには、第２カバー層１４の厚さは１０μｍより小さい。第２カバー層１４の厚さがこの範囲にある時、熱伝導層１５を保護でき、熱伝導層１５のエージング速度が緩和され、熱伝導層１５の使用寿命を延長させる一方、第２カバー層１４が熱伝導層１５の熱伝導効果に影響を与えないとともに、輻射冷却構造１０の厚さは適当であり、市場のニーズを満たすことができる。
【００５０】
一実施例では、上記の基材層１１は布層である。任意選択で、布層はポリエステル布層であり、ポリエステル布の風合いが硬く、布面は反射性が高く、耐熱性能がよいとともにポリエステル布は安価である。勿論、他の実施例において、基材層１１は高分子プラスチック層であってもよい。
【００５１】
一実施例における輻射冷却製品は、図１から図３を参照して、骨格２２、縦棒２３及び上記任意の実施例における輻射冷却構造１０からなる日除け傘面２１、又はサンルーフ面を備える。骨格２２が縦棒２３に設けられ、日除け傘面２１やサンルーフ面が骨格２２に設けられる。
【００５２】
理解できるのは、輻射冷却構造１０の基材層１１は布層であり、輻射冷却構造１０を日除け傘面２１又はサンルーフ面に作製する。日光が日除け傘面２１又はサンルーフ面に照射された時、第１機能塗層１２１が太陽光における可視光及び近赤外光を反射することにより、日除け傘面２１又はサンルーフ面の過度の熱蓄積を避け、日除け傘面２１又はサンルーフ面表面及び内部空間の熱を８μｍ〜１３μｍ大気ウィンドウ波長域赤外線形式により外へ放射させ、エネルギー消費ゼロの降温を実現し、ユーザーの快適感を向上する。
【００５３】
一実施例では、日除け傘２０は太陽電池板及びファンをさらに備え、太陽電池板がファンに電気的に接続される。ファンが日除け傘面２１又はサンルーフ面内側に位置する縦棒２３に設けられ、太陽電池板が日除け傘面２１又はサンルーフ面外側に位置する縦棒２３に設けられる。日除け傘面２１又はサンルーフ面の外側に太陽電池板を設置することにより、日光が太陽電池板に照射された時、太陽電池板が太陽光を吸收し、太陽輻射エネルギーを光電効果又は光化学効果により直接的又は間接的に電気エネルギーに変換することにより、ファンが作動するために必要な電気エネルギーを提供する。ファンを日除け傘面２１又はサンルーフ面の内側に設けてファンを起動することにより、日除け傘面２１又はサンルーフ面内側の冷空気をユーザーに吹き付けて、空気流速を増加させ、熱交換降温の効果を達成し、ユーザーの快適感を向上する。
【００５４】
具体的には、縦棒２３の一端が日除け傘面２１又はサンルーフ面の外側に位置し、日除け傘面２１又はサンルーフ面外側に位置する縦棒２３の端部には太陽電池板インターフェースが設けられ、太陽電池板インターフェース及びファンを配線により接続する。なお、縦棒２３は中空構造であり、縦棒２３の中部にはファンインターフェースが設けられ、この配線が縦棒２３の内部を引き廻し、配線の一端が太陽電池板インターフェースに接続され、配線の他端がファンインターフェースに接続される。内藏方式により引き廻すことにより、配線の外部漏洩による損傷による安全事故を避けるとともに、日除け傘２０を清潔で整然として、使用に有益である。
【００５５】
なお、太陽電池板が日除け傘面２１又はサンルーフ面外側の縦棒２３に回転可能に取り付けられ、ファンが日除け傘面２１又はサンルーフ面内側の縦棒２３に回転可能に取り付けられ、使用のニーズにより太陽電池板及びファンの方向を調整することにより、実用性が高くなる。
【００５６】
一実施例における輻射冷却製品は、図１、図４、図５を参照して、吸着固定具３２及び上記任意の実施例における輻射冷却構造１０からなる車体カバー体３１を備える。吸着固定具３２が車体カバー体３１に設けられ、吸着固定具３２が車体に吸着する。
【００５７】
理解できるのは、輻射冷却構造１０の基材層１１は布層であり、輻射冷却構造１０を車体カバー体３１に作製する。日光が車体カバー体３１の表面に照射された時、第１機能塗層１２１が太陽光における可視光及び近赤外光を反射することにより、車体カバー体３１の過度の熱蓄積を避け、車体カバー体３１の表面及び車体内部空間の熱を８μｍ〜１３μｍ大気ウィンドウ波長域赤外線形式により外へ放射させ、エネルギー消費ゼロの降温を実現し、ユーザーの快適感を向上する。そして、吸着固定具３２が車体カバー体３１を車体の表面に吸着して密着させ、外界熱が対流と熱交換の方式によりコックピットに入ることを効果的に阻隔でき、コックピット内の冷量の流出を減少させる。
【００５８】
一実施例では、吸着固定具３２が磁性吸着層３２１を有し、磁性吸着層３２１が基材層１１と第１輻射冷却層１２との間に積層設置される。磁性吸着層３２１が車体カバー体３１を車体の表面に吸着して密着させ、外界熱が対流と熱交換の方式によりコックピットに入ることを効果的に阻隔でき、コックピット内の冷量の流出を減少させる。そして、磁性吸着層３２１を設置することにより車体カバー体３１が強風により吹き飛ばされることを避け、車体カバー体３１が車体の表面に吸着して密着しているので、車体カバー体３１と車体表面との間の空気が減少され、強風の作用で車体カバー体３１が車体を打叩して車に傷を付けることを避ける。
【００５９】
なお、静電吸着層、接着層、真空吸着層等により車体カバー体３１を車体の表面に吸着して密着させ、コックピット内の冷量の流出を減少することもできる。
【００６０】
具体的には、磁性吸着層３２１の厚さは７μｍ〜１２μｍである。磁性吸着層３２１がこの厚さ範囲にある時、輻射冷却構造１０の基材層１１を車体の表面に吸着して密着させる一方、このサンシェード車体カバー３０を車体から剥がすことにも便利である。
【００６１】
一実施例では、図１と図４を参照して、吸着固定具３２は磁性体３２２をさらに有し、磁性体３２２が車体カバー体３１のエッジに位置する。具体的には、磁性体３２２は磁気ストリップであり、磁気ストリップが車体カバー体３１のエッジに間隔をおいて設けられ、又は磁性体３２２は軟質の磁気ストリップであり、軟質の磁気ストリップが車体カバー体３１のエッジをとり囲んでもよい。磁性体３２２を設置することにより、車体カバー体３１を車体にしっかり吸着させ、外界熱が対流と熱交換の方式によりコックピットに入ることを効果的に阻隔でき、コックピット内の冷量の流出を減少させる。
【００６２】
なお、サンシェード車体カバー３０は半カバー体である時、使用する時、サンシェード車体カバー３０を運転室とトランクルームの位置に対応してカバーして設ける。そして、サンシェード車体カバー３０のエッジにマグネタイトを一回り縫製することにより、サンシェード車体カバー３０を車体の表面に密着させ、外界熱が対流と転流の方式によりコックピット内に入ることを遮断し、コックピット内の冷量の流出を減少する。サンシェード車体カバー３０は全カバー体である時、サンシェード車体カバー３０を車体の表面に全面に覆う。そして、ドアに対応するサンシェード車体カバー３０の位置にマグネタイトを縫製することにより、サンシェード車体カバー３０をドアに吸着して密着させることに便利である。
【００６３】
一実施例における輻射冷却製品は、図１、図６、図７、図９を参照して、テント骨格４２及び上記任意の実施例における輻射冷却構造１０からなる外テント４１を備え、外テント４１がテント骨格４２外にカバーして設ける。
【００６４】
理解できるのは、輻射冷却構造１０の基材層１１は布層であり、輻射冷却構造１０をサンシェードテント４０の外テント４１に作製できる。日光がサンシェードテント４０の表面に照射された時、第１機能塗層１２１が太陽光における可視光及び近赤外光を反射することにより、サンシェードテント４０の過度の熱蓄積を避け、サンシェードテント４０表面及び内部空間の熱を８μｍ〜１３μｍ大気ウィンドウ波長域赤外線形式により外へ放射させ、エネルギー消費ゼロの降温を実現し、ユーザーの快適感を向上する。
【００６５】
なお、本願における「サンシェードテント４０の内部空間」とは、サンシェードテント４０は使用する過程において外界から離反する側の空間である。
【００６６】
一実施例では、図１、図７、図１０を参照して、サンシェードテント４０は裏地付きテント４３及び底テントをさらに有し、裏地付きテント４３が外テント４１の内側に設けられ、底テントが裏地付きテント４３の底部に位置し、裏地付きテント４３がテント骨格４２に接続される。通常には、裏地付きテント４３がロープ、スナップ等によりテント骨格４２に吊り上げられ、外テント４１がテント骨格４２に覆われ、裏地付きテント４３と外テント４１との間に一定の間隔を有する。外テント４１の内側に裏地付きテント４３を設置するとともに、裏地付きテント４３の底部に底テントを設置することにより、封止空間が形成され、これは保温効果がよく、蚊を防止する。勿論、他の実施例において、縫合や貼付方式により裏地付きテント４３及び外テント４１を接続し、それらをともにテント骨格４２にカバーして設けられてもよく、サンシェードテント４０の折畳やオーペンに便利である。
【００６７】
具体的には、上記の裏地付きテント４３はポリエステルオックスフォード布であってもよく、テントは頑丈で信頼性が高く、同時に防風性、防雨性、日光遮断性があり、通常の外界サンシェードテント４０の使用要求を満たすことができる。勿論、他の実施例において、裏地付きテント４３は網布であってもよく、例えばＢ３網布であり、網布の透気性がよく、風合いが軽く、収納携帯に便利であり、同時にサンシェードテント４０が透気性、防蚊機能を有することができる。
【００６８】
さらには、図６、図８、図９を参照して、サンシェードテント４０は着脱部４４をさらに有し、着脱部４４が外テント４１に着脱可能に接続され、又は着脱部４４が裏地付きテント４３に着脱可能に接続され外テント４１の部分に露出する。なお、着脱部４４がサンシェードテント４０のドーム構造の位置に設けられ、着脱部４４の平面形状は角状である。具体的には、着脱部４４は基布層及び第２輻射冷却層をさらに有し、第２輻射冷却層が基布層の外面に塗布され、第２輻射冷却層の構造は第１輻射冷却層１２の構造と同様である。着脱部４４を設置することにより、着脱部４４が輻射降温効果を強めるとともに、柔軟に使用でき、交換にも便利である。
【００６９】
具体的には、着脱部４４は、ジッパー、ベルクロ（登録商標）、ボタン、ノット等により外テント４１に拆卸可能に接続され、又は裏地付きテント４３に着脱可能に接続され外テント４１の部分に露出する。
【００７０】
一実施例では、図９と図１０を参照して、サンシェードテント４０はドア体４９をさらに有し、輻射冷却構造１０には開口が設けられ、ドア体４９が開口に設けられる。具体的には、ドア体４９は、ローラーブラインド形式により遮断されてもよく、フリップカバー形式により遮断されてもよく、テントに進出することに便利である。勿論、他の実施例において、ドア体４９は窓体をさらに有しても良い。
【００７１】
一実施例では、図１１と図１２を参照して、サンシェードテント４０は給電アセンブリ４５、センサー４６、警報機４７、及びコントローラ４８をさらに有し、センサー４６、警報機４７及びコントローラ４８は、それぞれ給電アセンブリ４５に電気的に接続され、コントローラ４８はそれぞれセンサー４６、警報機４７に電気的に接続され、サンシェードテント４０の多機能ニーズを満たす。具体的には、本実施例において、上記の給電アセンブリ４５は可撓性太陽電池であり、可撓性太陽電池がサンシェードテント４０の外面に設けられる。
【００７２】
具体的には、センサー４６は、温度センサー４６、距離センサー４６、煙センサー４６の1つ以上である。なお、温度センサー４６はサンシェードテント４０の温度を監視して、サンシェードテント４０内の実際温度をリアルタイムで感知することができ、距離センサー４６は獣や異物がテントに近づくかどうかを検出でき、煙センサー４６はテント内外で火災が発生したかどうかを検出できる。警報機４７は音および光等の形でアラームを与えることができ、危険な状況が発生したことをテント内の人々に警報し、又は警報により獣を追い払うことができる。
【００７３】
一実施例における輻射冷却製品は、図１、図１３、図１５を参照して、輻射冷却製品は上記任意の実施例における輻射冷却構造１０からなる帽体５１を備え、帽体５１が頭部が置くチャンバーを形成する。
【００７４】
なお、上記の輻射冷却構造１０を日除け帽５０の帽体５１に作製することができる。具体的には、輻射冷却構造１０の基材層１１は高分子プラスチック層であってもよく、この高分子プラスチック層が頭部が置くチャンバーを形成し、高分子プラスチック層の外面に第１輻射冷却層１２及び第１カバー層１３が塗布され、保護帽やヘルメットを形成する。勿論、他の実施例において、基材層１１は布層であってもよい。
【００７５】
日光が日除け帽５０の表面に照射された時、第１機能塗層１２１が太陽光における可視光及び近赤外光を反射することにより、日除け帽５０の過度の熱蓄積を避け、日除け帽５０表面及び内部空間の熱を８μｍ〜１３μｍ大気ウィンドウ波長域赤外線形式により外へ放射させ、エネルギー消費ゼロの降温を実現し、ユーザーの快適感を向上する。
【００７６】
一実施例では、図１３と図１４を参照して、帽体５１には透気孔５１１が設けられ、透気孔５１１がチャンバーの内壁からチャンバーの外壁まで延びる。理解できるのは、帽体５１には透気孔５１１が設けられ、透気孔５１１は一つでもよく複数でもよく、透気孔５１１は複数であると、複数の透気孔５１１を対向に設置する。透気孔５１１を設置することにより、透気孔５１１が日除け帽５０チャンバーによる熱を外界環境に放射させ、日除け帽５０チャンバーの空気の流れを実現し、日除け帽５０のチャンバーの温度が低下する。
【００７７】
具体的には、透気孔５１１の孔はチャンバー開口端に向かって傾斜している弧形であり、これは雨水が帽体５１に沿って流れることに便利であり、雨水が透気孔５１１から日除け帽５０のチャンバー内に入ることを防止する。
【００７８】
一実施例では、透気孔５１１内には補強具が設けられる。具体的には、補強具はリベットであり、リベットが透気孔５１１の孔壁に沿って設置される。透気孔５１１に補強具を設置することにより、日除け帽５０の耐衝撃性能と安全性能を向上することができる。又は、補強具は遮断物であり、透気孔５１１外側に一層の遮断物を設置することにより、遮断物スイッチのオン/オフを制御して透気孔５１１の遮断が実現される。理解できるのは、遮断物のスイッチはオンとされた状態にある時、透気孔５１１が遮断物に遮断されず、即ち透気孔５１１により熱の流れを開閉でき、遮断物のスイッチはオフとされた状態にある時、透気孔５１１が遮断物により遮断され、熱の流れを実現することができない。勿論、透気孔５１１の周辺に材質の肉厚化処理をすることができ、又は透気孔５１１にしわを設置して補強する。
【００７９】
一実施例では、図１３と図１４を参照して、日除け帽５０は日除けカーテン５２をさらに有し、日除けカーテン５２がチャンバーの開口端に位置し、日除けカーテン５２の外面には第３輻射冷却層が塗布される。なお、第３輻射冷却層の構造は第１輻射冷却層１２の構造と同様である。使用する時、日除けカーテン５２がユーザーの首に垂直に設けられ、これにより日光が首を直射することを避け、ユーザーの首が日焼けられることを防止する。同時に、日除けカーテン５２の外面には第３輻射冷却層が塗布されるので、日光が日除けカーテン５２に照射された時、第３輻射冷却層が太陽光を反射することにより、日除けカーテン５２の過度の熱蓄積を避け、日除けカーテン５２の表面の熱を８μｍ〜１３μｍ大気ウィンドウ波長域赤外線形式により外へ放射させ、エネルギー消費ゼロの降温を実現し、ユーザー首の温度が低下し、ユーザーの快適感を向上する。
【００８０】
勿論、他の実施例において、図１５から図１７を参照して、日除け帽５０は降温袋５４をさらに有し、降温袋５４が日除け帽５０内表面におけるユーザー後脳に対応する位置に設けられる。具体的には、降温袋５４をバックル、ジッパー等により日除け帽５０の内表面に着脱可能に設けられる。暑い夏において、頭部を降温するためにアイスキューブ、アイスパック、又は他の相変化物質を降温袋５４内に追加し、融解、蒸発も頭部の熱を吸収でき、長時間にわたって頭部を降温でき、アイスキューブを入れない時、降温布が首を遮光して、太陽輻射による熱を減少させる。
【００８１】
さらには、第３輻射冷却層の外面には第３カバー層が塗布される。なお、第３カバー層の構造は第１カバー層１３の構造と同様である。第３カバー層が第３輻射冷却層を保護でき、第３輻射冷却層の酸化、脱落及び黄変の現像を避け、第３輻射冷却層のエージング速度が緩和され、第３輻射冷却層の輻射冷却効果が延長される。
【００８２】
一実施例では、図１３と図１４を参照して、日除けカーテン５２は取付板５２１及び取付板５２１のエッジに設けられたカーテン本体５２２を有し、取付板５２１には日除け帽５０とマッチングする取付孔５２１１が設けられる。使用する時、取付孔５２１１を介して取付板５２１を日除け帽５０の頂部に係合され、脱着が簡易になり、柔軟に使用できる。
【００８３】
具体的には、本実施例において、日除けカーテン５２の材質はフレキシブル材料であり、これにより使用のニーズにより折り畳むことができ、収納と携帯に便利である。任意選択で、日除けカーテン５２の材質はポリエステル布であり、ポリエステル布の強さが高く、破壊が容易でなく、同時にポリエステル布の耐光性と耐晒性がよく、日光で晒された場合に、ポリエステル布が反応して副作用を発生することはない。
【００８４】
一実施例では、図１５から図１７を参照して、日除け帽５０は収納袋５３をさらに有し、収納袋５３が日除けカーテン５２に設けられる。日除けカーテン５２の表面に収納袋５３を設置することにより、これは折り畳んだ後の日除けカーテン５２を収納袋５３に置くことにより、収納に便利であり、携帯に便利である。
【００８５】
一実施例では、日除け帽５０は夜光層を有し、夜光層が第１カバー層１３内に設けられる。具体的には、第１カバー層１３内へ夜光粉を分散させることにより上記の夜光層を形成する。夜光層が夜間に周辺の光線を反射することにより、警示の作用を奏し、ユーザー夜間作業に便利であり、作業の安全性を向上する。勿論、他の実施例において、夜光粉が他の塗層に分散されてもよく、又は夜光層が第１カバー層１３の外面に設けられ、又は夜光層が第１輻射冷却層１２と第１カバー層１３との間に設けられる。
【００８６】
一実施例では、日除け帽５０は顔料層をさらに有し、顔料層が第１輻射冷却層１２内に設けられる。具体的には、顔料層が第１機能塗層１２１内に設けてもよく、第２機能塗層１２２内に設けてもよい。顔料層を設置することにより、日除け帽５０を分類することに便利であり、ユーザーが自分の日除け帽５０を識別することにも便利である。
【００８７】
一実施例における輻射冷却製品は、図１、図２と図１８を参照して、上記任意の実施例からなるカーテン体を有し、カーテン体が日除けカーテン６０の一部を形成する。
【００８８】
理解できるのは、輻射冷却構造１０の基材層１１は布層であり、輻射冷却構造１０を日除けカーテン６０のカーテン体に作製する。日光が日除けカーテン６０の表面に照射された時、第１機能塗層１２１が太陽光における可視光及び近赤外光を反射することにより、日除けカーテン６０の過度の熱蓄積を避け、日除けカーテン６０の表面及び室内の熱を８μｍ〜１３μｍ大気ウィンドウ波長域赤外線形式により外へ放射させ、エネルギー消費ゼロの降温を実現し、ユーザーの快適感を向上する。
【００８９】
上記実施形態の各技術的特徴は任意に組み合わせることが可能であり、説明を簡単にするために、上記実施形態の各技術的特徴の可能な全ての組み合わせについては説明を省略しているが、これらの技術的特徴の組み合わせに矛盾がない限り、すべてはこの説明の範囲であると見なされる。
【００９０】
上記において、前述の実施形態の例は、本願のいくつかの実施態様のみを表しており、説明はより具体的かつ詳細であるが、これにより考案の実用新案登録請求の範囲の制限として解釈されるべきではない。なお、当業者にとって、本願の思想から逸脱することを前提として、いくつかの変更や改善を行うことができ、これは本願の保護範囲に属する。従って、したがって、本実用新案登録請求の保護範囲は、添付した請求項に従うものとする。
【符号の説明】
【００９１】
１０、輻射冷却構造、１１、基材層、１２、第１輻射冷却層、１２１、第１機能塗層、１２２、第２機能塗層、１３、第１カバー層、１４、第２カバー層、１５、熱伝導層、１６、第１界面層、１７、第２界面層、２０、日除け傘、２１、日除け傘面、２２、骨格、２３、縦棒、３０、サンシェード車体カバー、３１、車体カバー体、３２、吸着固定具、３２１、磁性吸着層、３２２、磁性体、４０、サンシェードテント、４１、外テント、４２、テント骨格、４３、裏地付きテント、４４、着脱部、４５、給電アセンブリ、４６、センサー、４７、警報機、４８、コントローラ、４９、ドア体、５０、日除け帽、５１、帽体、５１１、透気孔、５２、日除けカーテン、５２１、取付板、５２１１、取付孔、５２２、カーテン本体、５３、収納袋、５４、降温袋、６０、日除けカーテン。
【図１】
0003227268.tif 000003
【図２】
0003227268.tif 000004
【図３】
0003227268.tif 000005
【図４】
0003227268.tif 000006
【図５】
0003227268.tif 000007
【図６】
0003227268.tif 000008
【図７】
0003227268.tif 000009
【図８】
0003227268.tif 000010
【図９】
0003227268.tif 000011
【図１０】
0003227268.tif 000012
【図１１】
0003227268.tif 000013
【図１２】
0003227268.tif 000014
【図１３】
0003227268.tif 000015
【図１４】
0003227268.tif 000016
【図１５】
0003227268.tif 000017
【図１６】
0003227268.tif 000018
【図１７】
0003227268.tif 000019
【図１８】
0003227268.tif 000020